(57)【特許請求の範囲】
【請求項１】
縦形掃除機の中仕切りとして本体シェルに、油濁物を付着し得る充填物と該充填物を収容できるスペースを有して壁面が透水可能なフィルタ容器を収納すると共に該フィルタ容器内へ油濁物混合液を導く短管を設け、更に、本体シェルの下部に液体放出口を形成するようにしたことを特徴とする油濁物回収装置。
【請求項２】
前記フィルタ容器の下面を金属製多孔板で形成したことを特徴とする請求項１記載の油濁物回収装置。
【請求項３】
前記充填物が油吸着材で構成されたことを特徴とする請求項１または２に記載の油濁物回収装置。
【発明の詳細な説明】
【０００１】
【発明の属する技術分野】
本発明は浮上油等の油濁物（固形油分＋液体油）を効率よく取り除くことのできる油濁物回収装置に関する。
【０００２】
【従来の技術】
レストラン等の厨房排水にはグリーストラップの設置が保健所により義務づけられている。グリーストラップの手入れにはどこでも神経を尖らせているが、少しでも気を弛め、清掃が不十分であったりすると、スカム類等の油脂分が凝集した油濁物が悪臭を放ち、汚濁放流となる。
【０００３】
【発明が解決しようとする課題】
こうした段階になって清掃しようとすると、従来は、簡単にはいかず難儀な手作業になっていた。バキュームカー等とセット化した油濁物回収機もみられるが、大掛りとなった。更に、最近は高層ビルの最上階にレストラン等を設けているところもあり、斯るケースではホースを繋げず、清掃が不可能であった。
また、近年、船舶遭難や石油コンビナート等の事故で、原油が流出して海岸線が油濁物より汚染される場合がある。斯る事態が発生すると、磯等の入り組んだところでは浮上油濁物の回収が難しく、従来は、ひしゃく等ですくって、苦労しながらそれを取り除くほかなかった。
【０００４】
本発明は上記問題点を解決するもので、小型化，可搬対応でき、簡単に油水分離し油濁物を取り除ける油濁物回収装置を提供することを目的とする。
【０００５】
【課題を解決するための手段】
上記目的を達成すべく、請求項１に記載の発明は、縦形掃除機の中仕切りとして本体シェルに、油濁物を付着し得る充填物と該充填物を収容できるスペースを有して壁面が透水可能なフィルタ容器を収納すると共に該フィルタ容器内へ油濁物混合液を導く短管を設け、更に、本体シェルの下部に液体放出口を形成するようにしたことを特徴とする油濁物回収装置にある。
ここで、「油濁物」とは、固形油分と浮上油等の液体油を含めた油分をいう。「水」とは液体油を除いた水溶液をいう。
請求項２に記載の油濁物回収装置の発明は、請求項１でフィルタ容器の下面を金属製多孔板で形成したことを特徴とする。
請求項３に記載の油濁物回収装置の発明は、請求項１または２で、充填物が油吸着材で構成されたことを特徴とする。
【０００６】
請求項１の発明のごとく、充填物を収めたフィルタ容器内へ油濁物混合液を投入し、充填物に油濁物を捕捉させる一方、水をフィルタ容器外へ放出すると、回収しようとする油濁物のみを充填物が捕捉するので、装置は小型化し、また、同じ油濁物を回収しながら、水がないので、回収物容量自体も少なくでき、更に、縦形掃除機の中仕切りとして前記フィルタ容器を収納すると共に該フィルタ容器内へ油濁物混合液を導く短管を設け、本体シェルの下部に液体放出口を形成すると、掃除機の吸引ポンプを使って油濁物混合液を吸い込み処理できるので、起動性に富み、作業性が極めて楽になる。
また、請求項２の発明のごとくフィルタ容器の下面を金属製多孔板で形成すると、油濁物と水のフィルタ分離が速やかに進むので、回収作業が一層はかどる。
請求項３の発明のごとく、充填物が油吸着材で構成されると、油濁物が吸着作用でより効果的に取り除かれるので、油濁物混合液の処理が更にはかどるようになる。
【０００７】
【発明の実施の形態】
以下、本発明に係る油濁物回収装置の実施形態について詳述する。
図１〜図３は、本発明の油濁物回収装置の一形態で、小型で持ち運び可能な可搬タイプに仕立てたものである。図１は油濁物回収装置全体の縦断面図、図２は図１の分解斜視図、図３はフィルタ容器と充填物の斜視図を示す。
【０００８】
油濁物回収装置は、上面開放の円筒シェル１と、公知の吸引ポンプを備えて上面開放口を蓋することのできるカバー２と、円筒シェル内の中仕切りとして収納セットされるフィルタ容器３と、該フィルタ容器に収納される充填物４と、吸込みホース５と、短管６と、放出ホース７とを具備する。
【０００９】
本体シェルたる円筒シェル１は有底筒状体で、いわゆる縦形掃除機の外側ケース部分に類似する。円筒シェルの側壁１ａの上部に吸込みホース５の取付ノズル１１を設け、該取付ノズル１１の基端部内周に雌螺子部を形成している。更に、ここでは、円筒シェル下部に液体放出口１２ａとなる排出ノズル１２を設けている。そして、該排出ノズル１２に弁１３を取り付ける。油濁物９１の回収作業中は液体放出口１２ａを閉止できるようにするためである（後述）。
符号１４は開放口を蓋したカバー２を円筒シェル１に一体化させる係止具で、符号１５は油濁物回収装置を移動し易くするキャスターを示す。
【００１０】
カバー２は、一般の縦形掃除機のカバー構造とほぼ同じで、開放口を蓋する蓋部２１と公知のモータ駆動の吸引ポンプ２２を覆った頭部２３とを具備する。蓋部２１の下面には有底筒状のフィルタ２４が固着され、油濁物９１と一緒に吸込まれた空気８は、吸引ポンプ２２でこのフィルタ２４を通って吸い上げられ、蓋部２１と頭部２３の隙間２５から油濁物回収装置外へ排気される構成である。該フィルタ２４には、例えば、不織布等からなるシート状体や連泡性の発泡プラスチックシート等を筒状体にして、この下面に密閉板２４１を取着したものが用いられる。
符号２６は吸引ポンプ２２を作動させるスイッチ、符号２７はコード、符号２８はコンセント（１００Ｖ電源用）で、符号２９は油濁物回収装置を持ち運び易いようにした把手を示す。
【００１１】
フィルタ容器３は、ここでは、汎用縦形掃除機の中仕切りとして円筒シェル１内に収納される上面開放の容器を加工したものである。該フィルタ容器３は、円筒シェル１の開口縁に合わせたリング状のゴム製シール環３１に、これより少し外径を萎めて布製筒部３２を取り付け、更に、筒部３２の下面に多数の透孔３３１が形成された金属製多孔板３３を縫い付けた格好としている（図３）。筒部３２を布製としているため、該筒部３２にもきめの細かい透孔３２１を有する。
ただ、上記透孔３２１だけでは水９２の通りが悪く、十分でない。多孔板３３の透孔３３１が油濁物９１と水９２の分離を円滑に進めるのに役立つ。透孔３３１の大きさは用途に合わせて設定されるが、その透孔径は、好ましくは１ｍｍφ〜２０ｍｍφ（より好ましくは２ｍｍφ〜５ｍｍφ）の範囲内にある。透孔径が小さ過ぎると、フィルタ容器３で瀘過するのに時間がかかりすぎ、一方、透孔径が大きくなりすぎると、吸込んだ折角の油濁物９１の一部が透孔３３１を通って流下しまうからである。勿論、透孔３３１で油濁物の通過を完全阻止する必要はなく、循環吸込みして充填物４に油濁物を捕捉させれば足りるが、作業効率が悪くなる。
筒部３２の上部には円孔３４が設けられ、フィルタ容器３が円筒シェル１に収納されると、該円孔３４が取付ノズル１１の孔に対向できるようにしている。
【００１２】
充填物４は油濁物９１を付着し得る固体で、本実施形態では、油吸着材で構成されたチップ状体を採用している。
油吸着材とは親油性，撥水性のあるもので、ポリエチレン，ポリプロピレン等のＣ−Ｃ結合ベースで直鎖状につながる高分子化合物である。例えば、東レ・ファインケミカル株式会社製東レウォセップ（登録商標）や、三井石油化学工業株式会社製タフネルオイルブロッター（登録商標）等がある。これらはポリプロピレンを原料とした不織布で、油吸着に優れた威力を発揮する。
油吸着材は、物理的構造面から繊維を極細にしたり断面形状を変化させたりして、親油性を帯有させたものでもよい。
充填物４の形状は、図１〜図３のようなチップ状体でなく、リボン状体，チューブ状体でもよい。また、シートタイプ，マットタイプのものでもよく、これらをフィルタ容器３内に敷き詰めることもできる。
充填物４としては油濁物を付着できれば足り、前記油吸着材に比べ多少能力は落ちても充填物に用いることが可能で、例えば、吸油紙，木片等の材質、また、スポンジ，ネット等の構造体を採用できる。
【００１３】
短管６は、基端部外周にねじが切られ、先端部がエルボ状の管体である。該短管６は、円筒シェル１内にフィルタ容器３を収納後、円孔３４を貫通して、前記取付ノズル１１の雌螺子部へフィルタ容器内部側から螺着する。そして、短管先端部を下に向けるようセットされる（図１）。ここでは、取付ノズル１１と短管６との結合に螺着方式を採用するが、ワンタッチ挿着できる係止構造をとると、より好ましくなる。
吸込みホース５は、吸引口５２から油濁物混合液９を油濁物回収装置に吸込ませるホースである。基端部５１を取付ノズル１１に挿着後、ストッパ１１１でねじ締め固定される。また、放出ホース７は、前記排出ノズル１２に取着して円筒シェル底部に連通させ、油濁物回収装置に吸込んだ油濁物混合液９から水９２を元（グリーストラップ等の排水場所）に戻すためのホースである。
【００１４】
上記構成部品を用いて、油濁物回収装置にする組立手順を次に述べる。
まず、円筒シェル１内にフィルタ容器３をセットする。そして、円孔３４を取付ノズル位置に合わせ、短管６をフィルタ容器３内から該取付ノズル１１に固着する。続いて、フィルタ容器内に充填物４を投入し、所定量詰め込む。フィルタ容器３内に詰まる充填物４の種類，量及び空隙率は油濁物混合液９の状況にあわせて適宜選定される。
しかる後、カバー２を円筒シェル１に被せ、係止具１４でカバー２と円筒シェル１とを一体化する。
そうして、吸込みホース５を取付ノズル１１に差し込み、ストッパ１１１で締め付け、また、放出ホース７を必要に応じて排出ノズル１２に取り付けることによって、油濁物回収装置の組立が完成する。この完成で、油濁物回収装置内は、円筒シェル１，フィルタ容器３，フィルタ２４によって三つの空間Ｓ1 ,Ｓ2 ,Ｓ3 に仕切られる構成である。
【００１５】
次に、かくのごとく組み立られた油濁物回収装置の取扱い動作について説明する。
まず、油濁物９１を回収しようとする場所（例えばグリーストラップ）へ油濁物回収装置を運ぶ。そして、弁１３を閉じ、コンセント２８を電源に差し込む。斯るスタンバイ状態にして、吸込みホース５を手に持ち、スイッチ２６を入れ吸引ポンプ２２を作動させる。しかる後、吸込みホース５の吸引口５２を油濁物混合液９の中へ突っ込む。
【００１６】
すると、吸引口５２から吸込まれた油濁物混合液９は、吸込みホース５，短管６を通り、フィルタ容器３内へと運ばれる。弁１３を閉止しているので、液体放出口１２ａが閉じられ、油濁物回収装置の吸引力は保たれる。
吸込口５２からは油濁物混合液９と一緒に空気８を同伴する場合があるが、該空気８はフィルタ２４で油濁物混合液９と分離され、ここを通って隙間２５から系外へ排気される。一方、フィルタ容器３内へ吸引投入された油濁物混合液９は、その中の油濁物９１が充填物４に吸着捕捉されていく。そして、残った水９２は、充填物４を素通りし、筒部３２，多孔板３３で分離され、透孔３２１，３３１を通過して円筒シェル１底の空間Ｓ1 に溜る。
このようにして、空間Ｓ1 に水９２が溜り、これが所定量に達すると、図示しないフロートを押し上げ、吸引ポンプ２２が自動停止する。
斯る状態となったら、弁１３を開にして、円筒シェル底に溜った水９２を放出ホース７を通して排水口たるグリーストラップ等へ戻すようにする。
【００１７】
その後、弁１３を再度閉じ、油濁物混合液９をフィルタ容器３内へ取り込み、前述の動作を繰り返す。
充填物４へ油濁物９１が十分に吸着捕捉された段階で、スイッチ２６を切る。そして、係止具１４を外してカバー２を円筒シェル１から取り除く。
次いで、円筒シェル１に収納されていたフィルタ容器３を持ち上げ、油濁物９１が付着した充填物４を中から取り出し回収処分とする。
必要に応じ、また、フィルタ容器３内に新たな充填物４を投入し、油濁物回収装置を組立て、上述の油濁物回収作業を繰り返し、油脂分等が凝集した油濁物９１（スカム類）の清掃除去を完了させる。
【００１８】
このように構成した油濁物回収装置は、掃除機の要領で吸引口５２から吸込み、充填物４に油濁物９１を捕捉させるので、従来の難儀な手作業と違い、その作業は極めて楽になる。油濁物回収装置内部がフィルタ２４，フィルタ容器３によって三つの空間Ｓ1 ，Ｓ2 ，Ｓ3 に仕切られているので、空気８−水９２−油濁物９１がうまく分離される。特に、多孔板３３の透孔３３１が水はけをよくし、水９２の流下を促す。そして、狭い場所にある油濁物，浮上油汚染物も簡単に吸い上げることができるので、グリーストラップ汚れ或いは磯等の海岸汚染等でも威力を発揮できる。
更に、本発明の油濁物回収装置は、油濁物混合液９から油脂分等が凝集した油濁物９１だけを効率よく充填物４に捕捉させ、油濁物混合液９中の水９２はフィードバックさせるので、清掃により処分しなければならない回収処分量は、従来法に比し格段に少なくなる。例えば、バキュームカー等を使った油濁物回収機では、油濁物と共に水９２を吸い上げて回収することになるので、油濁物をさほど除去していなくても、すぐに回収容量が満杯になる不具合があった。また、本来必要でない水９２までも一緒に運搬し、且つ処分していたので、効率が悪かった。本発明の油濁物回収装置では、回収しなければならない油濁物だけを回収しているので、小型タイプの油濁物回収装置であっても、清掃除去能力は大きななものとなっている。
加えて、油濁物９１を回収付着した充填物４が、ポリプロピレン等を主体とする油吸着材であると、油吸着力が抜群で、且つこれらは無害であるため、そのまま燃えるゴミとして焼却処分できる。そして、このときも既述のごとく水９２が除かれているので、燃費がかからず、より効果的になっている。
また、本発明の油濁物回収装置は、小型化を可能にして且つ可般タイプにできるので、所要スペースが小さく、しかも、どこにでも持ち運び，収納可能であるので、いざというときに小回りがきき、油濁物回収に迅速対応できる。ビル最上階のレストラン等のグリーストラップ清掃にあっても、エレベータ等を使って簡単に持ち運び、油濁物を回収できる。
【００１９】
尚、本発明においては、前記実施形態に示すものに限られず、目的，用途に応じて本発明の範囲で種々変更できる。円筒シェル１，カバー２，フィルタ容器３，充填物４，短管６等の形状，大きさ，材質等は用途に合わせて適宜選択される。例えば、フィルタ容器３の壁面は、底板の多孔板３３だけでなく側壁筒部もパンチングプレート等の多孔板で形成することも可能である。
【００２０】
【発明の効果】
以上のごとく、本発明の油濁物回収装置は、小型化，可搬対応でき、油濁物をたやすく取り除くことが可能で、更に、充填材に油吸着材を用いた場合は、油濁物の捕捉能力が高く、且つそのまま焼却処分が可能になるなど、多大な効を奏する。
【図面の簡単な説明】
【図１】本発明の一実施形態で、油濁物回収装置全体の縦断面図である。
【図２】図１の分解斜視図である。
【図３】フィルタ容器と充填物の斜視図である。
【符号の説明】
１          円筒シェル（本体シェル）
１２ａ      液体放出口
３          フィルタ容器
３３        多孔板
４          充填物
６          短管
９          油濁物混合液
９１        油濁物
９２        水
【図１】
0003728835.tif 000002
【図２】
0003728835.tif 000003
【図３】
0003728835.tif 000004